(57)【特許請求の範囲】
【請求項１】
支点を中心点にして円周軌道を描いて扇状に開閉する扇ぎ葉の各々をａ葉とｂ葉とし、該扇ぎ葉どうしが扇状に開いた状態で重なり合う領域を開重域とし、該開重域でａ葉のａ側折線が袋折されたａ側片を延設し、ｂ葉のｂ側折線が袋折されたｂ側片を延設し、該ｂ側片の下部に該支点を中心点とする略円周形状のｂ滑縁を設け、該ａ側片の下部に跨ぎ域を設け、該跨ぎ域の基部を滑端とし、該跨ぎ域が該ｂ滑縁を跨いで該滑端が該ｂ滑縁で滑り移動した基部端で該扇ぎ葉どうしの開き状態を固定することを特徴とする紙扇子の開閉固定構造。
【請求項２】
ｂ葉の外側折線が袋折された外片を延設し、該外片に該支点を中心とする略円周形状で外滑縁を設け、跨ぎ域が該外滑縁を跨いで滑端が該外滑縁で滑り移動した基部端で扇ぎ葉どうしの閉じ状態を固定することを特徴とする請求項１記載の紙扇子の開閉固定構造。
【請求項３】
扇ぎ葉の外側縁上部に凹部を設け、該凹部へ閉じ状態で重なる側片の縁が組み込んで該扇ぎ葉どうしの閉じ状態を固定することを特徴とする請求項１記載の紙扇子の開閉固定構造。
【発明の詳細な説明】
【技術分野】
【０００１】
本発明は、紙扇子の開閉固定構造に関する物である。
【背景技術】
【０００２】
従来の紙扇子の開閉固定構造は、開き固定では、切込どうしを組込む構造、側返し片どうしを重ね合わせて開き状態を固定する構造であり、閉じ固定では、扇の要穴を束ねて固定することで、閉じ状態でも束ね状態を維持できる固定構造であった。
【先行技術文献】
【特許文献】
【０００３】
【特許文献１】実開平７−４３９４８号
【特許文献２】実用新案登録第３１８２８０３号
【特許文献３】特開平１０−３０４９１９号
【特許文献４】特開２０１４−８３２２３号
【特許文献５】特開平８−２４２９２０号
【発明の概要】
【発明が解決しようとする課題】
【０００４】
従来の技術で、開き状態の固定をするには切込どうしの位置関係を目で確認して組込む必要があり、閉じ状態では固定はされていないので扇ぎ葉どうしが分離する恐れがあった。要穴束ね固定構造では、要穴を束ねるための余分な構造が必要であった。本発明では、上記の従来技術の問題箇所を考慮し、切込の組込みをしなくても自動的に開き状態が固定され、閉じ状態も自動的に固定されるという課題の解決をする。
【課題を解決するための手段】
【０００５】
本体は支点を中心にして反転する反転域の折線の各々にａ葉とｂ葉の扇ぎ葉を延設し、該扇ぎ葉の開き状態で重なり合う領域を開重域とし、該扇ぎ葉各々の側折線を介して側片を延設し、該側片双方は該開重域で重なり合い、ａ葉にａ側折線を袋折して延設されたａ側片の下部を跨ぎ域とし、ｂ葉にｂ側折線を袋折して延設されたｂ側片の下部を膨出させて膨出域を設け、該膨出域にｂ滑縁を設け、該ｂ滑縁は該支点を中心とする略円周形状を成している。該ｂ葉に外側折線を袋折して延設された外片の天縁を外滑縁とし、該外滑縁は該支点を中心点とする略円周形状を成す。該跨ぎ域の基部端を滑端とし、該跨ぎ域がｂ滑縁と外滑縁を跨いで滑る構造にして設ける。
【発明の効果】
【０００６】
扇ぎ葉どうしを開くに従って、跨ぎ域の滑端が外縁からｂ滑縁へ移行して滑り移動するので、該扇ぎ葉どうしは分離せずに開き状態が固定される。該扇ぎ葉どうしを閉じるに従って、該跨ぎ域の滑端がｂ滑縁から外縁へ移行して滑り移動するので、該扇ぎ葉どうしは分離せずに閉じ状態が固定される構造にできる。
【図面の簡単な説明】
【０００７】
【図１】開き状態要部透視部分剥離正面斜視図である。（実施例１）
【図２】閉じ状態要部透視部分剥離正面斜視図である。
【図３】展開正面図である。
【図４】開き状態要部透視部分剥離正面斜視図である。（実施例２）
【図５】閉じ状態要部透視部分剥離正面斜視図である。
【図６】展開正面図である。
【図７】開き状態要部透視部分剥離正面斜視図である。（実施例３）
【図８】閉じ状態要部透視部分剥離正面斜視図である。
【図９】展開正面図である。
【発明を実施するための形態】
【０００８】
紙扇子の開閉状態が自動的に固定できる構造を実現した。
【実施例１】
【０００９】
図１は開き状態要部透視部分剥離正面斜視図である。透視線は破線で示し、剥離線は二重線で示し、折線は一点鎖線で示し、該折線が透視線になる場合は破線で示し、縁及び切線は一本の実線で示す。山折と谷折で表示する折り曲げ方向は正面方向からを基準にする。左右方向を横とし、天地方向を縦とし、正面背面方向を前後とする。本発明を形成する素材は限定ではなく、プラスチックであっても良いが、適宜に腰のある厚紙であることが望ましく、前記厚紙の硬さは楽に折り曲げられて扇ぎ使用に耐えられる硬さであれば良く、具体的に述べるならば、官製ハガキよりも硬ければ目的を果たせる。
【００１０】
本体１で大きな面積を占める扇ぎ葉２は二枚で構成されており、総称する場合は扇ぎ葉２とするが、具体的に区別して表示する場合は、ａ葉３とｂ葉４にする。該扇ぎ葉２の形状は限定ではなく、扇状に開いて扇子として使用できる形状であれば良く、開き形状は扇子形状、花形状、動物の顔形状であっても良いが、実施例１の開き形状では支点５が中央の下端に位置しているのでハート型に適しており、前記ハート型を具体形状として述べることにする。
【００１１】
ａ葉３とｂ葉４は反転域６から折線を介して延設されており、該反転域６は支点５を中心点にして表裏方向へ反転する領域であり、該支点５側を鋭角にした三角形であることが望ましいが、該支点５を中心とする扇形状であっても良い。
【００１２】
実施例１ではａ葉３を背方へ位置させることにし、該ａ葉３の下部に開折線７を介して延設された反転域６を正面へ袋折し、該反転域６から閉折線８を介してｂ葉４を延設し、該開折線７と該閉折線８は支点５を基点とする放射線の位置関係で設けられている。
【００１３】
開き状態の本体１は下端を支点５とするハート型を成しており、中央を天地に縦断する重なり領域を開重域９とし、該開重域９側を内側とし、該開重域９から遠い側を外側とし、該開重域９ではａ葉３の正面にｂ葉４が重なっており、該開重域９の重なった面どうしは前後方向から隠されており、該開重域９が隠された領域であるのを利用して側片を延設する。前記側片の延設構造を具体的に述べるならば、該ａ葉３から正面へ袋折されたａ側折線１０を介してａ側片１１を延設し、該ｂ葉４から背方へ袋折されたｂ側折線１２を介してｂ側片１３を延設しているので、該開重域９では背方からａ葉３とｂ側片１３とａ側片１１とｂ葉４の順で折り重なっている。該開重域９は該ａ側折線１０とｂ側折線１２を区分線とする挟まれた領域である。
【００１４】
ａ側片１３とｂ側片１１との折り重なりだけでは本体１の開き状態の固定が不十分であり、前記の開き状態の固定を強固にするために、ｂ側片１３の下部をｂ側折線１２と反対側へ膨出させて膨出域１４を形成し、該膨出域１４の上部縁をｂ滑縁１５とし、該ｂ滑縁１５は支点５を中心点とする略円周形状であることが望ましく、完全な円周形状であっても良いが、該ｂ滑縁１５の先領域は該支点５へ少しだけ近付けており、基部領域では部分的に突出させた峠部１６を形成することが望ましい。
【００１５】
上記開き状態の固定を強固にするために、ａ側片の下部領域を跨ぎ域１７とし、該跨ぎ域１７の下縁の基部端を滑端１８とし、該跨ぎ域１７が上記膨出域１４を跨ぐことで該滑端１８が上記ｂ滑縁１５の縁線上で滑り移動し、該滑端１８は支点５を中心点とする真円軌跡を描くのであり、該滑端１８の真円軌跡の円周から僅かに外周へ突出させた箇所に上記峠部１６が位置しており、扇ぎ葉２が開き終える直前で該滑端１８は該峠部１６を乗り越えて、前記乗り越え後に該峠部１６は該滑端１８が戻るのを堰止めるので、前記扇ぎ葉２の開き状態がロックして固定される構造と成る。
【００１６】
上記ｂ滑縁１５だけでも滑端１８の滑り移動は可能であるが、該ｂ滑縁１５を形成するための膨出域１４が開重域９から食み出していることから該膨出域１４の先が浮いて固定されておらず、該膨出域１４の先領域を挟み込んで固定できる位置関係で外片１９を設け、該外片１９はｂ葉４下部から背方へ袋折された外側折線２０を介して延設されて設けられ、該膨出域１４は該外片１９の袋折に挟まれた構造で固定されている。該外片１９の形状は支点５を中心点とする略円周縁の扇形状であることが望ましく、前記略円周縁を外滑縁２１とし、該外滑縁２１は滑端１８の真円軌道と同じ円周線上に位置していても良いが、該外片１９の先へ向かうに連れて支点５方向へ僅かに近付く曲線であることが望ましい。
【００１７】
図２でも示すが、本体１の閉じ状態では滑端１８は外滑縁２１の基部（外側折線２０に近い方）領域に接しており、本体１を開くに従って該滑端１８の接し箇所はｂ滑縁１５へ移行し、最終的には峠部１６を乗り越えてｂ滑縁１５の基部（ｂ側片１３に近い方）に達してロック固定される。前記の接し箇所の移行が行われる構造的な原理は、該外滑縁２１と該ｂ滑縁１５の基部が滑端１８の真円軌道と同じ円周線上に位置していて、先領域が支点５へ僅かに近付く曲線だからである。該外滑縁２１と該ｂ滑縁１５の縁線全てが滑端１８の真円軌道と同じ円周線上に重なっていても良いのであるが、前記縁線は先へ近付くに連れて支点５へ近付く曲線にして該滑端１８との接し箇所の移行が行われることで該峠部１８によるロック固定能力が増すのである。
【００１８】
図２は閉じ状態要部透視部分剥離正面斜視図である。支点５を中心点としてａ葉３を右へｂ葉４を左へ回転移動させることで扇ぎ葉２の重なり領域が広くなって本体１は閉じ状態と成り、閉じ状態ではｂ側片１３とａ側片１１との重なりは解除されて互いに離れることに成り、前記側片どうしが離れることで、ｂ滑縁１５の基部に位置して峠部１６で堰止められていた滑端１８は該峠部１６を乗り越えて堰止めが解除されてｂ滑縁１５から外滑縁２１へ接し箇所を移行して、本体１が閉じ終えた状態では該外滑縁２１の基部端に滑端１８が位置付けられており、外片１９を延設している外側折線２０が跨ぎ域１７を堰止めるので閉じ状態を通り越して更に閉じ方向へ扇ぎ葉２どうしが移動するのを防止している。
【００１９】
峠部１６を外滑縁２１に設けても良いが、堰止め構造の峠部１６が外滑縁２１の中央部分に位置することになるので外片１９の中央が外側折線２０の方向へ押し付ける力が働き、前記押し付け力によって該外片１９が曲がる場合もあり、該外片１９が曲がれば、該峠部１６を滑端１８が乗り越えられなくなるので、該峠部１６はｂ滑縁１５にだけ設けるのが望ましい。
【００２０】
滑端１８は支点５を中心点とする真円軌道を描いて移動し、ｂ滑縁１５と外滑縁２１では先へ向かうに連れて前記真円軌道から中心方向へ外れて行くので、該滑端１８が膨出域１４の先角に引っ掛るのを防止しており、峠部１６を確実に露出できるので該峠部１６のロック固定能力が向上する。
【００２１】
本体１の開き形状をハート型にしたことで、本体１を閉じると側折線よりも外側に食み出す領域が生じるのであり、前記食み出し領域は摘んで引き出すことで開き状態にできることから摘み域２２とする。
【００２２】
図３は展開正面図である。折線は一点鎖線で表示し、谷折山折で表示する折り曲げ方向は正面からを基準にし、本図での折り曲げ方向は全て山折線であり、前記山折線を折り曲げる構造は、１８０度折り返される袋折にする。ｂ側片１３の下端と反転域６とに挟まれた領域は切り取られているが、それは図示し易くて説明し易くするためで、製品化する場合は切り取らずに残しておくことが望ましい。
【００２３】
本体１の折線を折り曲げて組み立てて行く順序を述べるならば、最初にｂ側片１３を背方へ折り返し、次に外片１９を背方へ折り返して膨出域１４の先領域を挟み込む。ａ側片１１を背方へ折り返し、反転域６下縁の開折線７を山折することでａ葉３は背方へ折り返されて図１で示したように開重域９で折り重なり、ａ側片１１先領域の跨ぎ域１７をｂ滑縁１５と外滑縁２１とに跨がせて開き状態での組立は終了し、該開折線７の袋折を閉折線８へ移行することで、図２で示すように本体１は閉じ状態に成る。
【実施例２】
【００２４】
図４は開き状態要部透視部分剥離正面斜視図である。図４から実施例２になるのであるが、上記実施例１では左からａ葉３とｂ葉４の順で表示していたのに対し、実施例２では左からｂ葉４とａ葉３の順で表示することにする。左右を逆にした理由は、本体１の開き状態で下部に有する回転域６を正面から表示したいからである。
【００２５】
実施例１の開き状態は下が尖ったハート型であったのに対して、実施例２の開き状態は下端が平らな開折線７となっており、支点５は該開折線７の延長線上に位置している。開き状態では、ｂ葉４に対してａ葉３の方が少々長くなっている。前記の二箇所が異なっている以外は、実施例１と殆ど同じ構造である。
【００２６】
最前面（正面）にａ葉３があり、該ａ葉３の下縁に閉折線８を介して延設された反転域６の下縁に袋折された開折線７を介してｂ葉４を延設する。該反転域６の形状は支点５を起点とする二本の放射線である開折線７と閉折線８とに挟まれた扇形状或いは三角形状を成しており、該開折線７と該閉折線８との交点が支点５ではあるが、前記の開閉折線と該支点５とが僅かに（２〜３ミリ）離れていることが望ましく、該支点５が離れていても前記の開閉折線の延長線を細い実線で表示することにし、該支点５が離れていることから該反転域６の詳細な形状は三角形に極めて近い台形を成しており、該反転域６が台形であることから紙の厚みの影響を逃がすための遊びになると共に、打ち抜くための木型の作成を容易にできる。
【００２７】
本体１の組立順序を述べるならば、背方へ折り起こされた（先領域が上に位置している）状態のｂ葉４のｂ側折線１２を袋折してｂ側片１３を正面へ折り返し、該ｂ葉４の外側折線２０を袋折して外片１９を正面へ折り返し、ａ葉３のａ側折線１０を袋折してａ側片１１を背方へ折り返し、該ａ側片１１の下部領域である跨ぎ域１７をｂ滑縁１５と外滑縁２１とに跨がせることによって、該跨ぎ域１７の基部端である滑端１８が峠部１６で堰止められて本体１の開き状態はロック固定される。
【００２８】
本体１の開き状態でｂ葉４とａ葉３とが重なり合う領域を開重域９とし、該開重域９の折り重なる順番を背方から述べるならば、ｂ葉４とａ側片１１とｂ側片１３とａ葉３である。
【００２９】
図５は閉じ状態要部透視部分剥離正面斜視図である。図４の開き状態で袋折されていた開折線７の折り曲げ箇所を閉折線８へ移行することで支点５を中心点として反転する反転域６と連動して扇ぎ葉２の双方は該支点５を中心点とする円周移動で閉じ状態と成り、滑端１８は峠部１６を乗り越えてｂ滑縁１５から外滑縁２１へ接し縁を移行して外滑縁２１の基部端（外側折線２０）まで達して閉じ状態は維持される。
【００３０】
本体１の開き状態で滑端１８は峠部１６に引っ掛った状態で固定されていたが、ｂ側片１３を引っ張る方向で該峠部１６の引掛りを外すので膨出域１４が折れ曲がる恐れは無くなり、ｂ滑縁１５から外滑縁２１への接し縁移行を難なく行える。
【００３１】
図６は展開正面図である。本体１の折線を折り曲げて組み立てて行く順序を述べるならば、最初にｂ側片１３を背方へ折り返し、次に外片１９を背方へ折り返して膨出域１４の先領域を挟み込む。ａ側片１１を背方へ折り返し、反転域６下縁の開折線７を山折することでｂ葉４は背方へ折り返されて図４で示したように開重域９で折り重なり、ａ側片１１先領域の跨ぎ域１７をｂ滑縁１５と外滑縁２１とに跨がせて開き状態での組立は終了し、該開折線７の袋折を閉折線８へ移行することで、図５で示すように本体１は閉じ状態に成る。
【実施例３】
【００３２】
図７は開き状態要部透視部分剥離正面斜視図である。本体１の開き方向は限定ではないが正面に重なっているｂ葉４の上部を右へ回転移動させて開く構造であることが望ましい。
実施例３は簡易型であり、組立を楽に行えるのが特徴であり、請求項３の内容である。実施例１と実施例２では膨出域１４と外片１９とを有していることから大型の跨ぎ域１７を組立時に跨がせる作業が必要であったのに対し、実施例３での跨ぎ域１７は小型であるので、組立時に跨がせる作業を不要とすることから、組立を楽に行える。
【００３３】
扇ぎ葉２の双方と反転域６の形状は実施例２と同じであることが望ましいが、該扇ぎ葉２が開閉される各々の固定構造が異なっており、前記固定構造で特に開き状態の固定構造を明瞭に説明する目的でｂ滑縁１５と跨ぎ域１７と滑端１８を正面方向から見せるために該扇ぎ葉２の左右の位置関係を実施例２とは逆にして、ａ葉３を左にし、ｂ葉４を右にして図示する。
【００３４】
開折線７を袋折することで反転域６は背方へ折り返されて扇ぎ葉２どうしは開き状態になって、前記開き状態の扇ぎ葉２どうしが重なる領域を開重域９とし、該開重域９の領域内にａ側片１１とｂ側片１３とが収まっており、該扇ぎ葉２はａ葉３とｂ葉４の二枚で構成されており、該ａ葉３から袋折されたａ側折線１０を介してａ側片１１を延設し、該ｂ葉４から袋折されたｂ側折線１２を介してｂ側片１３を延設する。
【００３５】
ａ側片１１の略中央部までａ切込２３を切り込んで跨ぎ域１７を形成し、該跨ぎ域１７の基部（切り込んだ奥）端を滑端１８とする。ｂ側片１３の略中央部までｂ切込２４を切り込んでｂ滑縁１５を形成し、該ｂ滑縁１５の基部（切り込んだ奥）より僅かに戻した箇所に峠部１６を設ける。
【００３６】
扇ぎ葉２の双方を互いに開く方向へ円周移動させるに従ってｂ滑縁１５の縁に沿って滑端１８は滑り移動し、該滑端１８は峠部１６を乗り越えてｂ切込２４の基部端でロック固定される。前記のロック固定は該滑端１８が該峠部１６で堰止められて引っ掛って行われている。
【００３７】
峠部１６は小さな山形状の上突出縁であるので、扇ぎ葉２の双方を互いに閉じる方向へ力を加えるとｂ切込２４の基部端に固定されていた滑端１８が該峠部１６を乗り越えてｂ滑縁１５の縁線上に沿って滑り移動して、最終的には該ｂ切込２４の切口から抜け出て閉じ状態へ移行する。
【００３８】
図８は閉じ状態要部透視部分剥離正面斜視図である。閉折線８を袋折することで扇ぎ葉２双方の重なり領域が最大値になった状態を閉じ状態とし、少なくても該扇ぎ葉２の上縁どうしが重なり合っている形状であることが望ましい。
【００３９】
本体１の閉じ状態ではｂ側片１３とａ側片１１との双方は一番離れた位置関係にあるが、全てが離れるのではなくて片先域２８どうしは離れずに重なり合っており、前記の重なり領域は閉じた状態でも重なっていることから閉重域２７とする。
【００４０】
ｂ側折線１２とａ側折線１０は袋折されてはいるものの、完全な１８０度に折り潰すことは技術的に不可能なので完全に折り潰されているわけではなく、扇ぎ葉２の面に対して適宜に浮いた状態で側片は折り返されており、閉重域２７の領域で前後（正面背面）方向から押し合っているのでｂ切込２４とａ切込２３の双方の切込は自然に開いた状態になる。
【００４１】
切込の双方が開いた状態を保てるので、扇ぎ葉２双方を開き状態へ回転移動させるとｂ切込２４とａ切込２３との双方が互いに組み込んだ状態になり、図７で示した開き固定状態へと移行する。
【００４２】
実施例３は簡易型なので、実施例１と実施例２で有していた膨出域１４と外片１９は省かれていることから閉じ状態で跨ぎ域１７が跨いでいる箇所は基本的には無く、本体１は閉じた状態のままでは固定されておらず、閉じ状態での固定が無くても不便性は少ないのであるが、閉じ固定箇所を設けて固定する方が安定する。実施例３での閉じ状態の固定をする箇所として、扇ぎ葉２の外側縁上部に凹部２５を設け、該凹部２５へ閉じ状態で重なる側片の縁が組み込んで該扇ぎ葉２どうしの閉じ状態を固定するのであり、該凹部２５はａ葉３とｂ葉４の双方へ設けても良いが、どちらか一方で充分であり、具体的に述べるためにｂ葉４にだけ該凹部２５設ける構造で述べることにする。
【００４３】
実施例３での閉じ状態の固定構造を具体的に述べるならば、ｂ葉４の他方（右）の側縁上部を適宜に凹ませて凹部２５を設け、ａ葉３の他方に位置して袋折されたａ側片１１の上部に該凹部２５が組み込まれて固定される構造を成し、該ａ側片１１の縁は直線であっても良いが、該ａ葉３の他方に位置して袋折された該ａ側片１１の上部を部分的に突出させて凸片２６を設けることが望ましく、該凸片２６の形成によって該凹部２５の組み込み成功の確率は格段に上昇する。
【００４４】
本体１の閉じ状態はａ葉３の正面にｂ葉４がピッタリと重なり合っている状態であり、前記閉じ状態では本体１の底辺は閉折線８が袋折された状態で位置しており、前記閉じ状態からｂ葉４を少しだけ左へ回転移動させることで凸片２６が正面へ食み出し、正面へ食み出した該凸片２６の下部が凹部２５に嵌まり込んで本体１の閉じ状態が固定される構造に成る。実施例３に限り、閉じ状態での自動固定は完全ではないが、閉じた状態から少しだけ行き過ぎて戻すだけで閉じ固定がされるので、半自動の固定構造である。
【００４５】
図９は展開正面図である。扇ぎ葉２の形状は自由にデザイン化したものであっても良いが、縦（天地）に細長い略扇形状であることが望ましく、該扇ぎ葉２は二枚で有しており、該扇ぎ葉２の各々を区別する名称としてａ葉３とｂ葉４で表示する。
【００４６】
組立状態でｂ葉４を正面に重ねることが望ましい構造にしているので、展開図では該ｂ葉４の下へ反転域６を介してａ葉３を延設し、該反転域６は左に位置する支点５を中心点とする二本の放射折線に挟まれた細長い扇形状であることが望ましく、該反転域を挟む二本の放射折線で下を閉折線８とし、上を開折線７とし、該閉折線８は水平な折線であることが望ましい。該支点５は該反転域６から僅かに（２〜３ミリ）離れた箇所に位置付けられていることが望ましく、延長線を細い実線で表示した上記二本の放射折線の交点に該支点５は位置しており、該支点５が該反転域６の外に位置していることから該反転域６は三角形に極めて近い台形を成している。
【００４７】
ａ葉３の他方の側縁にａ側折線１０を介してａ側片１１を延設し、該ａ側片１１は図７で示された開重域９の範囲内に収まる略直角三角形状を成し、該ａ側片１１の角領域は図８で示された閉重域２７と成る一方の片先域２８ａとし、該ａ側片１１の横外側縁からａ切込２３を略中央箇所まで切り込んで跨ぎ域１７を形成し、該ａ切込２３の切り込んだ奥端を滑端１８とし、該ａ側片１１の横外側の端領域（片先域と離れた箇所）を部分的に膨出させて凸片２６を形成する。
【００４８】
ｂ葉４の一方の側縁にｂ側折線１２を介してｂ側片１３を延設し、該ｂ側片１３は図７で示された開重域９の範囲内に収まる略直角三角形状を成し、該ｂ側片１３の角領域は図８で示された閉重域２７と成る他方の片先域２８ｂとし、該ｂ側片１３の横外側縁からｂ切込２４を略中央箇所まで切り込んでｂ滑縁１５を形成し、該ｂ切込２４の切込によって鋭角となる角領域を切り取って切角２９を形成することが望ましく、該切角２９の形成によって本体１の開閉時に引っ掛る恐れのある鋭角領域を除去できる。
【００４９】
ｂ葉４の他方の側縁上部を部分的に切り取って凹ませた箇所を凹部２５とし、該凹部２５の形状は限定ではなくて適宜な形状であっても良いが、切り取り箇所の奥を鋭角にする略Ｖ字形状で切り取ることが望ましい。
【００５０】
実施例３の組立順序を述べるならば、ａ側折線１０を袋折してａ側片１１を背方へ折り返し、ｂ側折線１２を袋折してｂ側片１３を背方へ折り返し、閉折線８を袋折してａ葉３を背方へ折り返してｂ葉４の背方へ重ねて閉じ状態に成り、前記閉じ状態でｂ葉４を少しだけ左へズラして戻すことで凹部２５が凸片２６の基部に嵌まり込んで図８で示した閉じ固定状態になる。
【産業上の利用可能性】
【００５１】
本発明は、扇子形状の広告媒体として使用することもできる。
【符号の説明】
【００５２】
１    本体
２    扇ぎ葉
３    ａ葉
４    ｂ葉
５    支点
６    反転域
７    開折線
８    閉折線
９    開重域
１１  ａ側片
１３  ｂ側片
１５  ｂ滑縁
１７  跨ぎ域
１８  滑端
１９  外片
２１  外滑縁
【図１】
0005960778.tif 000002
【図２】
0005960778.tif 000003
【図３】
0005960778.tif 000004
【図４】
0005960778.tif 000005
【図５】
0005960778.tif 000006
【図６】
0005960778.tif 000007
【図７】
0005960778.tif 000008
【図８】
0005960778.tif 000009
【図９】
0005960778.tif 000010